(57)【要約】【課題】床移動した患者の容体経過を総合的に判断し得る表示を行うことができる生体情報表示装置及びモニタリング履歴作成方法を提供すること。【解決手段】セントラルモニター３０は、ベッドサイドモニターから、生体情報と、生体情報を取得した患者の患者ＩＤと、生体情報の取得日時と、生体情報の取得場所を特定できる取得場所特定情報と、を入力する入力部（外部入出力部４１）と、各患者の生体情報がいつどこで取得されたかが分かるような、各患者の生体情報の取得履歴一覧を作成する取得履歴一覧形成部（表示制御部４２）と、を有する。【選択図】図８
2019013684.tif 000002
【特許請求の範囲】
【請求項１】
生体情報と、前記生体情報を取得した患者の患者ＩＤと、前記生体情報の取得日時と、前記生体情報の取得場所を特定できる取得場所特定情報と、を入力する入力部と、
前記生体情報を表示する表示部と、
各患者の前記生体情報がいつどこで取得されたかが分かるような、各患者の生体情報の取得履歴一覧を形成する取得履歴一覧形成部と、
を具備する生体情報表示装置。
【請求項２】
前記取得履歴一覧は、
各患者について、
縦方向に前記生体情報の取得場所が前記生体情報の取得時間順に順次配置されているとともに、前記取得場所の横方向に前記生体情報の取得時間が棒グラフの形式で示されている、
請求項１に記載の生体情報表示装置。
【請求項３】
前記取得場所は、病棟、手術室、集中治療室、緊急救命室、検査室、外来診察室、分娩室、救急車のいずれか一つを含む、
請求項１又は請求項２に記載の生体情報表示装置。
【請求項４】
操作部を、さらに備え、
前記取得履歴一覧は、前記表示部に表示され、
前記表示部は、前記操作部によって前記棒グラフの位置が選択操作されたとき、選択された棒グラフに対応する生体情報を表示する、
請求項２に記載の生体情報表示装置。
【請求項５】
生体情報を取得した患者の患者ＩＤと、前記生体情報の取得日時と、前記生体情報の取得場所を特定できる取得場所特定情報と、を入力するステップと、
各患者の前記生体情報がいつどこで取得されたかが分かるような、各患者の生体情報の取得履歴一覧を形成するステップと、
前記取得履歴一覧を出力するステップと、
を含むモニタリング履歴作成方法。
【請求項６】
前記取得履歴一覧は、
各患者について、
縦方向に前記生体情報の取得場所が、前記生体情報の取得時間順に順次配置されているとともに、前記取得場所の横方向に前記生体情報の取得時間が棒グラフの形式で示されている、
請求項５に記載のモニタリング履歴作成方法。
【発明の詳細な説明】
【技術分野】
【０００１】
本発明は、生体情報表示装置及びモニタリング履歴作成方法に関する。
【背景技術】
【０００２】
病院などの医療現場においては、一人一人の患者の生体情報（例えば、心電図、血圧、呼吸回数、脈拍など）を、随時、収集したり、分析したり、表示したりすることが必要となる。また、患者は、病室、検査室、手術室などを移送されることになるので、その患者の生体情報の収集も患者の移送と一緒に行う必要がある。小型の医療用ポータブルモニタシステム（例えば特許文献１、２参照）が広く用いられている。
【０００３】
この種のシステムとして、据置型のベッドサイドモニターに可搬型のトランスポートモニターを接続可能（具体的にはドッキング及び取り外し可能）とされたものがある。なおこの種のベッドサイドモニターは、トランスポートモニターに対するホストモニターと言うこともできる。
【０００４】
トランスポートモニターは、心電図測定用電極などが接続される端子部、小型ディスプレイ、データ記憶装置、及び、バッテリなどを有し、患者が移送中でも生体情報を途切れなく取得し、それを表示及び記録することができる。患者の移送中にトランスポートモニターに記録された生体情報は、トランスポートモニターがベッドサイドモニターにドッキングされた際にベッドサイドモニターに転送される。ベッドサイドモニターに転送された生体情報は、ベッドサイドモニターに接続されたセントラルモニターにも送られる。
【０００５】
このようなトランスポートモニターを有するシステムを用いれば、移送中の患者の生体情報を容易に取得できる。また、ベッドサイドモニターにトランスポートモニターをドッキングするように構成したことにより、患者に装着された生体情報取得用の電極などをベッドサイドモニターとトランスポートモニターとの間で接続し直すことなく、トランスポートモニターをベッドサイドモニターに抜き差しするだけで生体情報の測定を継続できる。
【先行技術文献】
【特許文献】
【０００６】
【特許文献１】特表平８−５０４３４５号公報
【特許文献２】特表平８−５０４５３１号公報
【発明の概要】
【発明が解決しようとする課題】
【０００７】
ところで、従来の生体情報モニタリングシステムにおいては、取得された生体情報がどの患者の生体情報かを分かるようにするために、各生体情報には患者ＩＤが紐付けられている。そして、各ベッドサイドモニター及び各トランスポートモニターで取得された生体情報が集約される上位のサーバ装置では、患者ＩＤに対応する生体情報を集めて、時間方向に繋げることで、各患者の容体経過が分かるような表示を行うことができるようになっている。
【０００８】
しかしながら、従来の生体情報のモニタリングでは、患者が床移動することについては十分な配慮がなされておらず、床移動した患者の容体経過を総合的に判断することができるような表示を行う点では未だ不十分であった。
【０００９】
本発明は、以上の点を考慮してなされたものであり、床移動した患者の容体経過を総合的に判断し得る表示を行うことができる生体情報表示装置及びモニタリング履歴作成方法を提供する。
【課題を解決するための手段】
【００１０】
本発明の生体情報表示装置の一つの態様は、
生体情報と、前記生体情報を取得した患者の患者ＩＤと、前記生体情報の取得日時と、前記生体情報の取得場所を特定できる取得場所特定情報と、を入力する入力部と、
前記生体情報を表示する表示部と、
各患者の前記生体情報がいつどこで取得されたかが分かるような、各患者の生体情報の取得履歴一覧を形成する取得履歴一覧形成部と、
を具備する。
【００１１】
本発明のモニタリング履歴作成方法の一つの態様は、
生体情報を取得した患者の患者ＩＤと、前記生体情報の取得日時と、前記生体情報の取得場所を特定できる取得場所特定情報と、を入力するステップと、
各患者の前記生体情報がいつどこで取得されたかが分かるような、各患者の生体情報の取得履歴一覧を形成するステップと、
前記取得履歴一覧を出力するステップと、
を含む。
【発明の効果】
【００１２】
本発明によれば、各患者の生体情報がいつどこで取得されたかが分かるような、各患者の生体情報の取得履歴一覧を作成するようにしたので、床移動した患者の容体経過を総合的に判断し得る表示を行うことができる。
【図面の簡単な説明】
【００１３】
【図１】実施の形態に係るベッドサイドモニター及びトランスポートモニターのドッキング（接続）の様子を示す図であり、図１Ａはベッドサイドモニターからトランスポートモニターを取り外す様子を示す図、図１Ｂは患者と一緒にトランスポートモニターを移動させる様子を示す図、図１Ｃはベッドサイドモニターにトランスポートモニターをドッキングさせる様子を示す図
【図２】実施の形態のベッドサイドモニター及びトランスポートモニターが接続される院内システムの概略構成を示す図
【図３】実施の形態のベッドサイドモニターの構成を示すブロック図
【図４】トランスポートモニターがベッドサイドモニターから外されたときにタッチパネルに表示される画面を示す図
【図５】トランスポートモニターがベッドサイドモニターに接続されたときにタッチパネルに表示される患者選択画面を示す図
【図６】トランスポートモニターの移動とそれに伴う生体情報の送受の例を示す図
【図７】実施の形態による履歴表示を示す図
【図８】実施の形態のセントラルモニターの構成を示すブロック図
【発明を実施するための形態】
【００１４】
以下、本発明の実施の形態を、図面を参照して説明する。
【００１５】
＜１＞全体構成
先ず、実施の形態の全体構成及び前提構成について説明する。
【００１６】
図１は、ベッドサイドモニター１１、１２及びトランスポートモニター２０のドッキング（接続）の様子を示す図である。ここで、図示していないが、トランスポートモニター２０には、心電図測定用電極などの患者の生体情報を取得するための生体情報検出部が接続されている。
【００１７】
患者が、ベッドサイドモニター１１が配置された場所からベッドサイドモニター１２が配置された場所へと移送される場合、医師や看護師などの医療従事者はベッドサイドモニター１１からトランスポートモニター２０を取り外し（図１Ａ）、患者と一緒にトランスポートモニターを移動させた（図１Ｂ）後、ベッドサイドモニター１２にトランスポートモニター２０をドッキングさせる（図１Ｃ）。このようにすることで、患者の移送中でもトランスポートモニター２０によってその患者の生体情報を取得することができる。
【００１８】
ここで、トランスポートモニター２０の底面や側面、及び、それに対応するベッドサイドモニター１１、１２の面には、ドッキングしたときに互いに電気的に接続するコネクタ部が設けられており、これにより、トランスポートモニター２０とベッドサイドモニター１１、１２は、このコネクタ部を介して互いに生体情報及び設定情報などの情報を送受できるようになっている。
【００１９】
ベッドサイドモニター１１、１２とトランスポートモニター２０とを互いに比較した場合の各装置の特徴は以下の通りである。
【００２０】
ベッドサイドモニター：
・ベッドサイドに据え置いて設置されることが想定されており、トランスポートモニターよりも重い。
・表示できる生体情報のパラメータの数がトランスポートモニターよりも多い。
・接続できる外部機器の数がトランスポートモニターよりも多い。
・ディスプレイがトランスポートモニターよりも大きく、拡張ディスプレイも接続できる。
・セントラルモニターにネットワーク接続されることが前提となっている。
【００２１】
トランスポートモニター：
・持ち運びすることが想定されており、ベッドサイドモニターよりも小型で軽い。
・表示できる生体情報のパラメータの数がベッドサイドモニターよりも少ない。
・接続できる外部機器の数がベッドサイドモニターよりも少ない。
・ディスプレイがベッドサイドモニターよりも小さい。
・移動中に患者の生体情報を記録できるメモリを有する。このメモリは、例えば１０日間分の生体情報を記録できる容量を有する。
【００２２】
なお、ベッドサイドモニターとトランスポートモニターは必ずしも上述の特徴の全てを有する必要は無いが、少なくともトランスポートモニターはベッドサイドモニターよりも小型で軽く構成されており、持ち運び可能である。
【００２３】
図２は、本実施の形態のベッドサイドモニター及びトランスポートモニターが接続される病院内システム（以下「院内システム」と呼ぶ）１０の概略構成を示す図である。院内システム１０では、手術室に１以上のベッドサイドモニター１１Ａ〜１１Ｘが設置され、ＩＣＵ(Intensive Care Unit：集中治療室)に１以上のベッドサイドモニター１２Ａ〜１２Ｘが設置され、病棟に１以上のベッドサイドモニター１３Ａ〜１３Ｘが設置されている。なお、本明細書で述べる「病棟」とは、手術室やＩＣＵなどの特別な処置室を除くいわゆる「一般病棟」のことである。
【００２４】
手術室のベッドサイドモニター１１Ａ〜１１Ｘはセントラルモニター３１に接続されており、ＩＣＵのベッドサイドモニター１２Ａ〜１２Ｘはセントラルモニター３２に接続されており、病棟のベッドサイドモニター１３Ａ〜１３Ｘはセントラルモニター３３に接続されている。
【００２５】
さらに、セントラルモニター３１、３２、３３は、サーバ装置４０に接続されている。これにより、ベッドサイドモニター１１Ａ〜１１Ｘにより取得された生体情報はセントラルモニター３１に集約されて表示や記録が行われ、ベッドサイドモニター１２Ａ〜１２Ｘにより取得された生体情報はセントラルモニター３２に集約されて表示や記録が行われ、ベッドサイドモニター１３Ａ〜１３Ｘにより取得された生体情報はセントラルモニター３３に集約されて表示や記録が行われる。また、セントラルモニター３１、３２、３３で取得された生体情報はサーバ装置４０に集約されて記録される。サーバ装置４０は、例えばセントラルモニター３１、３２、３３やベッドサイドモニター１１Ａ〜１１Ｘ、１２Ａ〜１２Ｘ、１３Ａ〜１３Ｘの要求に応じて、記録した生体情報をセントラルモニター３１、３２、３３やベッドサイドモニター１１Ａ〜１１Ｘ、１２Ａ〜１２Ｘ、１３Ａ〜１３Ｘに送ることができる。
【００２６】
トランスポートモニター２０は、各ベッドサイドモニター１１Ａ〜１１Ｘ、１２Ａ〜１２Ｘ、１３Ａ〜１３Ｘにドッキング（接続）可能であり、患者と一緒に移動し、患者が移送された先のベッドサイドモニター１１Ａ〜１１Ｘ、１２Ａ〜１２Ｘ、１３Ａ〜１３Ｘにドッキング（接続）される。
【００２７】
なお、図２では、院内システム１０を示したが、トランスポートモニター２０は、例えば救急車内に設けられたベッドサイドモニターにドッキング（接続）することもできる。
【００２８】
＜２＞ベッドサイドモニターの構成
図３は、本実施の形態のベッドサイドモニター１００の構成を示すブロック図である。ベッドサイドモニター１００は、図１及び図２のベッドサイドモニター１１Ａ〜１１Ｘ、１２Ａ〜１２Ｘ、１３Ａ〜１３Ｘとして用いられるものである。
【００２９】
ベッドサイドモニター１００は、コネクタ部１０１、１０２、１０３を有する。
【００３０】
コネクタ部１０１は、患者に装着された生体情報検出部をベッドサイドモニター１００に接続するためのコネクタである。コネクタ部１０１には、心電図を検出するための心電図測定用電極２０１、血圧を検出するための血圧測定用カフ２０２、体温を検出するための体温センサ２０３、ＳｐＯ２を検出するためのＳｐＯ２センサ２０４、及び心拍出量を検出するための心拍出量センサ２０５等の生体情報検出部が接続される。
【００３１】
コネクタ部１０２には、トランスポートモニター２０が接続される。コネクタ部１０３には、セントラルモニター３０が接続される。
【００３２】
計測処理部１０４は、所定の計測処理を実行することで、コネクタ部１０１に接続された生体情報検出部（心電図測定用電極２０１、血圧測定用カフ２０２、体温センサ２０３、ＳｐＯ２センサ２０４及び心拍出量センサ２０５）を用いて患者の生体情報を計測する。なお、上記生体情報検出部を用いた各種生体情報の計測方法については従来周知のものを適用可能であるため、ここではその詳細な説明を省略する。計測処理部１０４によって得られた生体情報は、記憶部１０５に記憶されるとともにタッチパネル１０９に表示される。
【００３３】
一方、トランスポートモニター２０によって取得された生体情報は、コネクタ部１０２及び送受信処理部１０６を介して記憶部１０５に記憶される。因みに、トランスポートモニター２０の移動中にトランスポートモニター２０によって取得された生体情報は、一旦トランスポートモニターの記憶部（図示せず）に記憶され、ベッドサイドモニター１００と接続されたときにコネクタ部１０２及び送受信処理部１０６を介してベッドサイドモニター１００の記憶部１０５に転送記憶される。
【００３４】
記憶部１０５に記憶された生体情報は、送受信処理部１０６及びコネクタ部１０３を介してセントラルモニター３０に送られる。これにより、セントラルモニター３０では、ベッドサイドモニター１００及びトランスポートモニター２０で取得された生体情報を表示及び記録することができる。
【００３５】
制御部１１０は、計測処理部１０４、送受信処理部１０６、表示制御部１０７及びアラームインジケータ１０８を制御する。
【００３６】
タッチパネル１０９は、表示制御部１０７によって制御され、生体情報を計測値又は波形の形式で表示する。また、タッチパネル１０９は、生体情報を表示する表示機能を有するだけでなく、操作者による入力操作を受け付ける操作入力部としての機能も有する。具体的には、タッチパネル１０９におけるユーザーのタッチ操作を示す情報がタッチパネル１０９から制御部１１０に送られ、制御部１１０はタッチ操作に従って、タッチパネル１０９上での表示変更やベッドサイドモニター１００のモード変更、各種の登録処理などを行う。
【００３７】
アラームインジケータ１０８は、ベッドサイドモニター１００の筐体上部などに設けられており、制御部１１０によって生体情報に異常が生じたと判定されたときに例えば赤色に発光するようになっている。
【００３８】
また、ベッドサイドモニター１００は、接続検出部１１１及びＩＤ識別部１１２を有する。接続検出部１１１は、コネクタ部１０２にトランスポートモニター２０が接続されているか否かを検出し、検出結果を制御部１１０に送出する。ＩＤ識別部１１２は、コネクタ部１０２に接続されたトランスポートモニター２０に設定されている患者ＩＤをコネクタ部１０２を介して入力し、この患者ＩＤが以前に接続されたトランスポートモニター２０の患者ＩＤと同じか否かを識別し、識別結果を制御部１１０に送出する。
【００３９】
トランスポートモニター２０がベッドサイドモニター１００から外された場合、接続検出部１１１によってこのことが検出され、タッチパネル１０９には、図４に示す画面が表示される。ユーザー（医療従事者）によって「モニター中断」ボタンがタッチされると、ベッドサイドモニター１００はモニタリングの中断モードとなり、生体情報のモニタリングを中断する。これに対して、ユーザーによって「退床」ボタンがタッチされると、ベッドサイドモニター１００は退床処理を行う。
【００４０】
トランスポートモニター２０がベッドサイドモニター１００に接続された場合、接続検出部１１１によってこのことが検出され、タッチパネル１０９には、図５に示す患者選択画面が表示される。ユーザーは、この画面において、トランスポートモニター２０に設定されている患者ＩＤに紐付けられた患者情報を使うモード、本装置（ベッドサイドモニター１００）に設定されている患者ＩＤに紐付けられた患者情報を使うモード、又は、新規に患者情報を入力してモニタリングを開始するモードのうちのいずれかを選択できる。
【００４１】
＜３＞実施の形態による履歴表示
次に、本実施の形態によるモニタリング履歴一覧表示について説明する。
【００４２】
図６は、トランスポートモニター２０の移動と、それに伴う生体情報の送受の例を示す図である。
【００４３】
先ず、トランスポートモニター２０がＩＣＵのベッドサイドモニター１２Ａにドッキングされ、その状態で生体情報Ｘが取得される。次に、トランスポートモニター２０がベッドサイドモニター１２Ａから外され、患者と一緒に移動しながら移動中の生体情報Ｙを取得する。
【００４４】
次に、トランスポートモニター２０は病棟のベッドサイドモニター１３Ａにドッキングされる。ベッドサイドモニター１３Ａはトランスポートモニター２０から生体情報Ｘ、Ｙを受け取る。また、ベッドサイドモニター１３Ａは、トランスポートモニター２０とドッキングした状態で生体情報Ｚを得る。
【００４５】
病棟のセントラルモニター３３は、ベッドサイドモニター１３Ａから生体情報Ｙ、Ｚを受け取る。また、セントラルモニター３３は、ＩＣＵのセントラルモニター３２から生体情報Ｘを参照として受け取ることもできる。因みに、セントラルモニター３３は、生体情報Ｘをベッドサイドモニター１３Ａから受け取ることもできるが、このようにすると、トランスポートモニター２０の移動時間、及び、トランスポートモニター２０からベッドサイドモニター１３Ａへの生体情報Ｘの転送時間の分だけ遅延が生じるので、セントラルモニター３２から受け取った方が早く受け取ることができる。
【００４６】
サーバ装置４０には、生体情報Ｘ、Ｙ、Ｚが収集される。これにより、サーバ装置４０は、患者ＩＤと取得時間とが付された生体情報Ｘ、Ｙ、Ｚを収集することができる。
【００４７】
図７は、本実施の形態による履歴表示を示す図である。本実施の形態の履歴表示の特徴は、各患者の生体情報がいつどこで取得されたかが分かるような、各患者の生体情報の取得履歴一覧を表示する点にある。
【００４８】
図７の履歴表示は、セントラルモニターによって行われる。以下では、セントラルモニター３３が履歴表示を行う場合を例に説明する。セントラルモニター３３は、生体情報を取得した患者の患者ＩＤと、生体情報の取得日時と、生体情報の取得場所を特定できる取得場所特定情報と、を入力し、図７に示したように、各患者の生体情報がいつどこで取得されたかが分かるような、各患者の生体情報の取得履歴一覧を表示する。
【００４９】
医療従事者は、図７のモニタリング履歴表示から以下のようなことを認識できる。
【００５０】
時点ｔ１〜ｔ２の期間に、緊急救命室「ＥＲ−００１」のベッドサイドモニターで生体情報が取得された。時点ｔ３〜ｔ４の期間に、ＩＣＵ「ＩＣＵ−００１」のベッドサイドモニターで生体情報が取得された。因みに、この時点ｔ３〜ｔ４の期間の生体情報は、ＩＣＵのベッドサイドモニターにトランスポートモニターがドッキングされた状態で取得された生体情報である。時点ｔ４〜ｔ５の期間に、トランスポートモニターで移動中に生体情報が取得された。なお、時点ｔ４では、ＩＣＵのベッドサイドモニターからトランスポートモニターが外され、退床操作が行われた。
【００５１】
時点ｔ５〜ｔ６の期間に、病棟「ＢＥＤ−００１」のベッドサイドモニターで生体情報が取得された。なお、時点ｔ５では、病棟のベッドサイドモニターにトランスポートモニターがドッキングされ、入床操作が行われた。
【００５２】
時点ｔ６〜ｔ７の期間に、トランスポートモニターで移動中に生体情報が取得された。なお、時点ｔ６では、病棟のベッドサイドモニターからトランスポートモニターが外され、中断操作が行われた。
【００５３】
時点ｔ７〜ｔ８の期間に、病棟「ＢＥＤ−００１」のベッドサイドモニターで生体情報が取得された。なお、時点ｔ７では、病棟のベッドサイドモニターにトランスポートモニターがドッキングされ、継続（再開）操作が行われた。
【００５４】
時点ｔ８〜ｔ９の期間に、トランスポートモニターで移動中に生体情報が取得された。なお、時点ｔ８では、病棟のベッドサイドモニターからトランスポートモニターが外され、中断操作が行われた。
【００５５】
時点ｔ９〜ｔ１０の期間に、病棟「ＢＥＤ−００１」のベッドサイドモニターで生体情報が取得された。なお、時点ｔ９では、病棟のベッドサイドモニターにトランスポートモニターがドッキングされ、継続（再開）操作が行われた。
【００５６】
セントラルモニター３３によって図７に示したようなモニタリング履歴を表示するようにしたことにより、医療従事者は、その患者の生体情報がどの場所（病棟、手術室、集中治療室、緊急救命室）で取得されたかの履歴を知ることができる。
【００５７】
また、本実施の形態では、図７におけるいずれかの生体情報区間を選択すると、別画面に、選択した生体情報区間の生体情報が表示されるようになっている。例えば図７中の符号Ａ１で示した生体情報区間（棒グラフ）をマウスなどを用いて選択すると、７月５日の１３：００〜１４：００にトランスポートモニターで取得された生体情報（心電図、ＳｐＯ２など）が別画面に表示される。
【００５８】
＜４＞セントラルモニターの構成
図８は、図７のようなモニタリング履歴表示を実現するためのセントラルモニター３０（３１、３２、３３）の構成例を示す。セントラルモニター３０の外部入出力部４１には例えば院内ＬＡＮ（Local Area Network）を介してベッドサイドモニターからの生体情報が入力される。このとき、外部入出力部４１には、生体情報に付随して、その生体情報を取得した患者の患者ＩＤ、その生体情報の取得日時、及び、その生体情報の取得場所を特定できる取得場所特定情報が入力される。なお、もしも取得場所特定情報として取得場所そのものが入力されなくても、例えば生体情報を取得した生体情報モニターの機器番号などが入力されれば、その機器番号の機器が設置される場所を予め登録しておくことで、機器番号からテーブル引きなどによって生体情報の取得場所を特定することができる。
【００５９】
外部入出力部４１に入力された情報は、表示制御部４２及び処理部４３に送られる。処理部４３は、記憶部４４及びアラーム判定部４５を有する。アラーム判定部４５は、生体情報を閾値判定し、生体情報が閾値の範囲外となった場合に、表示制御部４２にアラーム出力指示信号を出力する。
【００６０】
表示制御部４２は、取得履歴一覧形成部として機能し、患者ＩＤ、取得日時、取得場所特定情報に基づいて、同一患者について、図７に示したようなモニタリング履歴を作成し、これを液晶ディスプレイなどでなる表示部４６に表示させる。
【００６１】
また、マウスやキーボードなどからなる操作部４７によって、図７におけるいずれかの生体情報区間（棒グラフ）が選択されると、その生体情報区間に相当する生体情報が表示制御部４２によって記憶部４４から読み出され、この生体情報が表示部４６に表示される。
【００６２】
＜５＞まとめ
以上説明したように、本実施の形態によれば、セントラルモニター３０が、ベッドサイドモニターから、生体情報と、生体情報を取得した患者の患者ＩＤと、生体情報の取得日時と、生体情報の取得場所を特定できる取得場所特定情報と、を入力する外部入出力部４１と、各患者の生体情報がいつどこで取得されたかが分かるような、各患者の生体情報の取得履歴一覧（図７）を表示する表示部４６と、を有する。これにより、床移動した患者の容体経過を総合的に判断し得る表示を行うことができるようになる。つまり、単に各患者の生体情報を収集して時系列的に配置して表示する場合と比較して、その生体情報はどの場所（病棟、手術室、集中治療室、緊急救命室）で取得されたものなのか、またどういう場所を経由して取得されたものなのかを把握できる。
【００６３】
例えば、生体情報だけを見れば容体が良くないと診断されるものであっても、医療従事者は、その生体情報が手術室やＩＣＵで取得されたものであったと分かれば、生体情報の変化は手術や薬剤などの影響によるものと判断して診断を行うことができる。また、例えば、生体情報だけを見れば容体が良くないと診断されるものであっても、医療従事者は、その生体情報が移送中や移送直後に取得されたものであると分かれば、生体情報の変化は移送の影響によるものと判断して診断を行うことができる。
【００６４】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００６５】
上述の実施の形態では、図７に示したように、縦方向に生体情報の取得場所を、生体情報の取得時間順に順次配置するとともに、取得場所の横方向に生体情報の取得時間を棒グラフの形式で配置したが、取得履歴一覧の形式はこれに限らず、要は、各患者の生体情報がいつどこで取得されたかが分かるようなものであればよい。つまり、生体情報の取得場所（病棟、手術室、集中治療室、緊急救命室）と取得時間の両方が一覧表示されたものであればよい。
【００６６】
また上述の実施の形態では、生体情報の取得場所、つまりベッドサイドモニターが設置される場所として病棟、手術室、集中治療室、緊急救命室を例に挙げたが、生体情報の取得場所はこれに限らず、例えば検査室、外来診察室、分娩室、救急車などであってもよい。
【００６７】
また上述の実施の形態では、各患者の生体情報の取得履歴一覧の作成及び表示を、セントラルモニターで行う場合について述べたが、この生体情報の取得履歴一覧の作成及び表示はベッドサイドモニターで行うようにしてもよい。
【００６８】
また上述の実施の形態では、作成した生体情報の取得履歴一覧を表示部４６に表示した場合について述べたが、作成した生体情報の取得履歴一覧は、プリンタに出力してもよく、或いはセントラルモニターやベッドサイドモニターに接続された他のディスプレイに出力してもよい。
【産業上の利用可能性】
【００６９】
本発明は、例えば各患者の生体情報の履歴を表示可能なセントラルモニターに適用して好適である。
【符号の説明】
【００７０】
１１、１１Ａ〜１１Ｘ、１２、１２Ａ〜１２Ｘ、１３Ａ〜１３Ｘ、１００  ベッドサイドモニター
２０  トランスポートモニター
３０、３１、３２、３３  セントラルモニター
４１  外部入出力部
４２  表示制御部
４３  処理部
４６  表示部
４７  操作部
【図１】
2019013684.tif 000003
【図２】
2019013684.tif 000004
【図３】
2019013684.tif 000005
【図４】
2019013684.tif 000006
【図５】
2019013684.tif 000007
【図６】
2019013684.tif 000008
【図７】
2019013684.tif 000009
【図８】
2019013684.tif 000010